(57)【特許請求の範囲】
【請求項１】
実質的に垂直方向の背もたれを有する椅子、座席等に使用することを意図され、背もたれに対して、好ましくは垂直方向に調整可能に、取り付けるための取り付け部品（１）と、取り付け部品（１）に取り付けられるヘッドレスト（６）とを有するヘッドレスト装置であって、ヘッドレスト（６）は２つのリンク・アーム（７，８）により取り付け部品（１）に取り付けられ、リンク・アームは一端が取り付け部品（１）に対してそれぞれ実質的に垂直方向の枢動軸線のまわりを枢動するように連結されていること、２つのリンク・アーム（７，８）はそれぞれ前記一端に歯部分（１１，１２）を有し、歯部分の軸線はそれぞれのリンク・アームの枢動軸線と一致されていること、リンク・アーム（７，８）はそれぞれの歯部分（１１，１２）を互いに噛み合わせて相互に連結されていること、およびリンク・アーム（７，８）は他端がそれぞれ実質的に水平方向のねじ手段（２３）に螺合されているナット手段（１５，１６）に対して実質的に垂直方向の軸線のまわりをヒンジ作動するように連結されており、ねじ手段（２３）はヘッドレスト（６）に対して回転可能に取り付けられると共に、回転することでそのねじ手段（２３）に沿ってナット手段（１５，１６）を反対方向へ同期して移動させ、それによってリンク・アーム（７，８）をそれぞれの枢動軸線のまわりに枢動させて取り付け部品（１）からヘッドレスト（６）までの水平距離を変化させるように構成されていることを特徴とするヘッドレスト装置。
【請求項２】
ナット手段（１５）の一方が左ねじで、他方のナット手段（１６）が右ねじであること、およびねじ手段（２３）は左ねじナット手段（１５）と螺合される部分が左ねじで、右ねじナット手段（１６）と螺合される部分が右ねじであることを特徴とする請求項１に記載された装置。
【請求項３】
ねじ手段（２３）が２つのねじ部分（２５，２６）で構成され、これらのねじ部分は互いに角度をなすと共に、連結カップリング（２７）によって互いに対して非回転状態に連結されており、また一方のねじ部分（２５）は左ねじ部分で構成され、他方のねじ部分（２６）は右ねじ部分で構成されていることを特徴とする請求項２に記載された装置。
【請求項４】
ねじ手段（２３）が少なくとも一端でヘッドレスト（６）から突出していること、およびねじ手段（２３）を回転させるための操作ノブ（２８，２９）が突出端部に取り付けられていることを特徴とする請求項１から請求項３までのいずれか一項に記載された装置。
【発明の詳細な説明】
【０００１】
本発明は、実質的に垂直方向の背もたれを有する椅子、座席等に使用することを意図されたヘッドレスト装置であって、背もたれに対して好ましくは垂直方向に調整可能に取り付けるための取り付け部品と、その取り付け部品に取り付けられるヘッドレストとを有するヘッドレスト装置に関する。
【０００２】
本発明の目的は、椅子、座席等に使用者が座った姿勢に合わせて調整するために、簡単に水平方向に調整できるヘッドレスト装置を提供することである。この目的は使用者の快適さを高めることであり、またヘッドレスト装置が乗物の座席に使用されるときは、衝突した場合にむち打ち症となる危険を低減することである。
【０００３】
本発明によれば、この目的は冒頭に記載した形式のヘッドレスト装置であって、ヘッドレストが２つのリンク・アームにより取り付け部品に取り付けられ、リンク・アームは一端が取り付け部品に対して実質的に垂直方向の枢動軸線のまわりを枢動するように連結されると共に、他端はそれぞれ実質的に水平方向のねじ手段に螺合されているナット手段に対して実質的に垂直方向の軸線のまわりをヒンジ作動するように連結され、ねじ手段はヘッドレストに対して回転可能に取り付けられると共に、回転することでそのねじ手段に沿ってナット手段を反対方向へ同期して移動させ、それによってリンク・アームをそれぞれの枢動軸線のまわりに枢動させて取り付け部品からヘッドレストまでの水平距離を変化させるように構成されていることを特徴とするヘッドレスト装置によって達成される。
【０００４】
２つのリンク・アームはそれぞれ前記一端に歯部分を有し、歯部分の軸線はそれぞれのリンク・アームの枢動軸線と一致されており、またリンク・アームはそれぞれの歯部分を互いに噛み合わせて相互に連結されることが好ましい。
【０００５】
好ましい実施例では、ナット手段の一方は左ねじで、他方のナット手段が右ねじであり、またねじ手段は左ねじナット手段と螺合される部分が左ねじで、右ねじナット手段と螺合される部分が右ねじである。
【０００６】
好ましい実施例では、ねじ手段は２つのねじ部分で構成され、これらのねじ部分は互いに角度をなすと共に、連結カップリングによって互いに対して非回転状態に連結されており、一方のねじ部分は左ねじ部分で構成され、他方のねじ部分は右ねじ部分で構成される。
【０００７】
ねじ手段は少なくとも一端でヘッドレストから突出しており、ねじ手段を回転させるための操作ノブが突出端部に取り付けられることが好ましい。
【０００８】
本発明は添付図面を参照して以下にさらに詳細に説明される。
【０００９】
図示されたヘッドレスト装置は取り付け部品１を含み、この取り付け部品１によって装置は椅子や座席の背もたれ（図示せず）に対して従来技術のように垂直方向に調整可能に取り付けられる。取り付け部品１は、背もたれのスロットに挿入されるようになされる長い垂直脚２と、２つの並んだ貫通穴４，５を有する短い水平脚３とを有する。
【００１０】
このヘッドレスト装置はまたヘッドレスト６を有し、ヘッドレスト６はリンク・アーム７，８により１に取り付けられる。リンク・アーム７，８は多少湾曲しており、それぞれ上側半体７ａ，８ａおよび下側半体７ｂ，８ｂを有して構成されており、両半体は例えばねじによって互いに連結される。リンク・アーム７，８は一端にそれぞれ内側垂直軸受ピン９，１０を有しており、これらの内側垂直軸受ピン９，１０は取り付け部品１の水平脚３の穴４，５内にそれぞれ回転可能に取り付けられる。この結果、リンク・アーム７，８は図２に示される第１の限界位置と図３に示される第２の限界位置との間で取り付け部品１に対して枢動可能となる。リンク・アーム７，８は軸受ピン９，１０が形成されているそれぞれの端部に歯部分１１，１２をそれぞれ有しており、歯部分１１，１２の軸線はそれぞれのリンク・アームの枢動軸線と一致されている。２つの歯部分１１，１２は互いに噛み合わされており、これにより２つのリンク・アーム７，８が均等に移動されることを保証している。リンク・アーム７，８は他端に内側垂直軸受ピン１３，１４をそれぞれ有している。
【００１１】
ナット手段１５はリンク・アーム７をヘッドレスト６に連結し、ナット手段１６はリンク・アーム８をヘッドレスト６に連結する。ナット手段１５，１６は内ねじの左ねじスリーブ１７および右ねじスリーブ１８をそれぞれ有して構成され、それらのスリーブから貫通穴２１，２２を有するフランジ１９，２０がそれぞれ水平に横方向に突出している。
【００１２】
ナット手段１５，１６はねじ手段２３と螺合されており、ねじ手段２３はヘッドレスト６に含まれるカップ形状をした取り付け部品２４に回転可能に取り付けられる。ねじ手段２３は２つのねじ部品２５，２６で構成されており、ねじ部品２５，２６は互いに角度をなしており、また図示実施例では可撓性スリーブの形状をした連結カップリング２７により互いに対して非回転状態に連結されている。ねじ部品２５は左ねじでナット手段１５のスリーブ１７と螺合され、またねじ部品２６は右ねじでナット手段１６のスリーブ１８と螺合される。２つのねじ部品２５，２６はそれぞれ一端で取り付け部品２４から突出し、その部分に操作ノブ２８，２９をそれぞれ支持しており、操作ノブ２８，２９によってねじ手段２３が取り付け部品２４内で回転されることができる。
【００１３】
ナット手段１５，１６のフランジ１９，２０はカップ形状の取り付け部品２４の実質的に垂直方向の底部に相当する部分の水平なスリット３０，３１をそれぞれ通して延在する。
【００１４】
リンク・アームのピン１３，１４は、フランジ１９，２０のそれぞれの穴２１，２２にそれぞれ回転可能に取り付けられる。従ってリンク・アーム７，８はそれぞれナット手段１５，１６に回転可能に連結される。
【００１５】
ねじ手段２３およびナット手段１５，１６はカップ形の取り付け部品２４の内側に配置されたガイド手段（図示せず）と、ガイド溝３３，３４のようなガイド手段を備え、ねじ３５で取り付け部品２４に対して取り付けられた取り付けプレート３２とによって取り付け部品２４内の所定位置に保持され、ガイドされる。
【００１６】
ヘッドレスト６はまたヘッドレスト・クッション３６も含んでおり、ヘッドレスト・クッション３６はピン３７によって取り付けプレート３２に交換可能に取り付けられる。
【００１７】
操作ノブ２８，２９の一方、および（または）他方を手で回転することで、理解されるであろうようにヘッドレスト６を取り付け部品１に対して水平方向へ移動させることができる。ヘッドレスト６は最大限に伸長された限界位置（図２）と、最大限に引っ込められた限界位置（図３）との間を取り付け部品１に対して水平方向に移動できる。従ってヘッドレスト６は、使用者が座った姿勢での後頭部位置にヘッドレスト・クッション３６が係止する位置に非常に簡単に調整することができる。
【図面の簡単な説明】
【図１】  本発明によるヘッドレスト装置の分解図である。
【図２】  第１のセット位置でヘッドレスト装置を示す頂面図である。
【図３】  第２のセット位置でヘッドレスト装置を示す頂面図である。
【図１】
0004187439.tif 000002
【図２】
0004187439.tif 000003
【図３】
0004187439.tif 000004